(57)【特許請求の範囲】
【請求項１】
第１の支点軸と少なくとも２箇所以上の第１の爪部を有し、前記第１の支点軸の長手方向に対して直角に離れた位置で垂直方向に伸びた第１のスイッチ押動突起と、前記第１のスイッチ押動突起と同一中心線上に第１の操作部が設けられた第１のスイッチボタンと、第２の支点軸と少なくとも２箇所以上の第２の爪部を有し、前記第２の支点軸の長手方向に対して直角に離れた位置で垂直方向に伸びた第２のスイッチ押動突起と、前記第２のスイッチ押動突起の中心線から平行線上に２箇所以上の第２の操作部が設けられた第２のスイッチボタンと、前記第１、第２のスイッチボタンに設けられた第１及び第２の支点軸に嵌合保持する第１、第２の支点軸受けと、第１、第２の少なくとも２箇所以上設けられた爪部を係止する第１、第２の係止穴と、第１、第２のスイッチ押動突起をガイドする第１、第２のガイド穴を有するスイッチスペーサと、前記第１、第２のスイッチボタンの第１、第２のスイッチ押動突起と相対する位置に、第１、第２のスイッチが実装されたプリント基板と、前記第１、第２のスイッチボタンの第１、第２のスイッチ押動突起が、無操作状態では常に前記第１、第２のスイッチに接触しない通常状態位置に跳ね上げておくための第１、第２の跳ね上げバネと、前記第１、第２のスイッチボタンの第１、第２の操作部と相対する位置に一定の肉厚を保持した内面が空洞で凸状態になった操作部と、前記操作部上面に表示銘板を貼り付けるための段部と、互いに段差を有する第１、第２の突起が、前記第１、第２のスイッチボタンの第１、第２の操作部の相対する位置に設けられたスイッチボードと、前記スイッチボードの操作部と相対する位置に開口部を設けた第１ケースを備えた段押しスイッチ機構。
【請求項２】
前記第１、第２のスイッチボタンの第１、第２の操作部に、前記スイッチボードの操作部裏面に設けられた第１、第２の突起と相対する位置に第１、第２のセンタリング穴を設けた構成とした請求項１記載の段押しスイッチ機構。
【請求項３】
前記第１、第２のスイッチボタンの第１、第２の操作部の裏面に、前記スイッチボードの操作部裏面に設けられた第１、第２の突起と相対する位置に垂直方向に延びた第１、第２のメカストッパーを設けた構成とした請求項１記載の段押しスイッチ機構。
【請求項４】
前記第１、第２のスイッチボタンに設けられた第１、第２のスイッチ押動突起の先端に段付き状態のガイドピンを一体で設け、前記ガイドピンに嵌合する挿入穴を有したスイッチボタンゴムで構成された請求項１記載の段押しスイッチ機構。
【請求項５】
前記スイッチボタンゴムの外周部に湾曲状に形成されたツバ部を全周に一体で構成させた請求項１記載の段押しスイッチ機構。
【請求項６】
前記第１のスイッチボタンと第１のスイッチ又は前記第２のスイッチボタンと第２のスイッチのどちらか一方で構成した請求項１記載の段押しスイッチ機構。
【請求項７】
前記スイッチボードの外周部全周にツバ部を設け、前記ツバ部を第１のケースと端面全周に断面形状が三角形または半円形をした凸部を有した第２のケースとで挟み込む構成とした請求項１記載の段押しスイッチ機構。
【請求項８】
前記第１のスイッチボタンの第１の操作部の中央に段差を有した貫通ガイド穴を設け、前記段差を有した貫通ガイド穴に挿入する先端が球Ｒ形状でリング溝を有したスイッチ可動ピンと、前記スイッチ可動ピンと前記段差を有したガイド穴との間に配置する第３の跳ね上げバネと、前記スイッチ可動ピンのリング溝に嵌合する抜け止めリングと、前記スイッチスペーサの第１、第２のガイド穴の中間位置に逃がし穴を設け、前記第２のスイッチボタンの第２の操作部に球Ｒ形状の突起を設け、前記第１、第２のスイッチボタンの第１、第２の操作部に相対する位置に一定の肉厚を保持した内面が空洞で凸状態になった操作部の裏面を平滑面で構成した請求項３記載の段押しスイッチ機構。
【請求項９】
前記第１のスイッチボタンの第１の操作部の中央に凹みガイド穴を設け、前記凹みガイド穴に挿入・嵌合する段付き形状で先端が球Ｒ形状をしたスイッチゴムと、前記第２のスイッチボタンの第２の操作部に球Ｒ形状の突起を設け、前記第１、第２のスイッチボタンの第１、第２の操作部に相対する位置に一定の肉厚を保持した内面が空洞で凸状態になった操作部の裏面に前記第１のスイッチボタンの第１の操作部に相対する位置だけに第３の突起を構えた構成とした請求項３記載の段押しスイッチ機構。
【請求項１０】
前記第１のスイッチボタンの第１の操作部に凹みガイド穴と前記凹みガイド穴の中央にガイドボスを設け、前記凹みガイド穴の中央に設けたガイドボスに挿入・嵌合するスイッチ可動バネと、前記第２のスイッチボタンの第２の操作部に球Ｒ形状の突起を設け、前記第１、第２のスイッチボタンの第１、第２の操作部に相対する位置に一定の肉厚を保持した内面が空洞で凸状態になった操作部の裏面を前記第１のスイッチボタンの第１の操作部に相対する位置にだけ突起を備えた構成とした請求項３記載の段押しスイッチ機構。
【請求項１１】
前記第１のスイッチボタンの第１の操作部に相当する位置に先端が湾曲形状に形成されたスイッチ板ばねを配置し、前記第２のスイッチボタンの第２の操作部に球Ｒ形状の突起を設け、前記第１、第２のスイッチボタンの第１、第２の操作部に相対する位置に一定の肉厚を保持した内面が空洞で凸状態になった操作部の裏面を平滑面で構成した請求項３記載の段押しスイッチ機構。
【発明の詳細な説明】
【０００１】
【発明の属する技術分野】
本発明は、遠隔操縦するリモコン装置等に関し、詳しくは１つの操作部での押動操作にて、２段階にスイッチ操作し、例えばクレーン等の遠隔操縦におけるクレーンの動作速度を２段階に調節できるようにする段押しスイッチ機構に関するものである。
【０００２】
【従来の技術】
従来、１つの操作部での押動操作にて２段階のスイッチ操作が可能な段押しスイッチ機構では、上下揺動可能なように弾性支持されたスイッチ操作部材の１箇所に操作部を設けるとともに、この操作部に与えられた押動力が第１のスイッチ押動体を介し第１のスイッチに優先的に働いた後、第２のスイッチ押動体を介し第２のスイッチに働かせる構造が提案されている。例えば、特開平６−２８９４８号公報での段押しスイッチ装置の構成例を図３３、図３４で以下に説明する。
【０００３】
図３３、図３４において、キー１３１は、操作パネル１７の透孔１５１内に位置してスイッチ操作部材をなし、操作パネル１７の透孔１５１の口縁一部と樹脂ばね１５２を介して操作パネル１７に一体形成され、樹脂ばね１５２部の弾性変形を伴って下動されて対応するスイッチ１４１、１４２のアクチュエータ１４１ａ、１４２ａを押動操作でき、操作後は樹脂ばね１５２の弾性復元力によって通常位置に復帰できるようにしている。
【０００４】
更にキー１３１は、互いに離れた位置で下向きに形成されている第１、第２の各スイッチ押動突起１３１ａ、１３１ｂを備えている。キー１３１の第１、第２の各スイッチ押動突起１３１ａ、１３１ｂの間の第１のスイッチ押動突起１３１ａ寄りに操作部１３１ｃを設け、操作部１３１ｃへの押動が第１の押動突起１３１ａに優先的に働いた後、第１のスイッチ押動突起１３１ａによる第１のスイッチ１４１のアクチュエータ１４１ａの押動点を支点として第２のスイッチ押動突起１３１ｂに働くようにしている。
【０００５】
これによって、キー１３１の操作部１３１ｃに与えられた押動操作力は第１のスイッチ押動突起１３１ａの側に優先的に働いてこれを第１のスイッチ１４１のアクチュエータ１４１ａに押し付けて第１のスイッチのみを押動操作するようにできる。
【０００６】
この時第２のスイッチ押動突起１３１ｂの側も下動されるが、キー１３１自身の弾性によって逃げが生じることにより、第２のスイッチ１４２のアクチュエータ１４２ａに接するまで下動されないか、下動されてもこれを押動するまでの操作力は伝達されない。
【０００７】
操作部１３１ｃがそれ以上に押動されるとキー１３１は第１のスイッチ押動突起１３１ａによる第１のスイッチ１４１のアクチュエータ１４１ａに対する前記押動点を支点として揺動されて第２のスイッチ押動突起１３１ｂによる第２のスイッチ１４２のアクチュエータ１４２ａに押し付けて第１のスイッチ１４１を押動操作状態に保ちながら、第２のスイッチ１４２を押動操作することができる。
【０００８】
また第１のスイッチ押動突起１３１ａと第１のスイッチ１４１のアクチュエータ１４１ａとの対向間隔Ｓ１を、第２のスイッチ押動突起１３１ｂと第２のスイッチ１４２のアクチュエータ１４２ａとの対向間隔Ｓ２よりも小さく設定している。
【０００９】
したがって、キー１３１の操作部１３１ｃに受ける初期押動操作力が第１のスイッチ押動突起１３１ａに優先的に働くことによる第１のスイッチ１４１の単独での押動操作が確実に行うことができると記載されている。
【００１０】
【発明が解決しようとする課題】
しかしながら上記従来の構成では、操作部１３１ｃへの押動が第１の押動突起１３１ａによる第１のスイッチ１４１のアクチュエータ１４１ａに優先的に働き、更に操作部１３１ｃを押動することにより、前記第１のスイッチ１４１のアクチュエータ１４１ａの押動点が支点となり、第２の押動突起１３１ｂが第２のスイッチ１４２のアクチュエータ１４２ａを押動するため、常に第１のスイッチ１４１のアクチュエータ１４１ａに過負荷な荷重が掛かる状態であり、更に第１のスイッチ１４１と第２のスイッチ１４２が両方押動された状態においても、操作部１３１ｃを押動し続けると、両方のスイッチのアクチュエータに過負荷な荷重が掛かって、スイッチ本来の操作寿命を低下させることとなり、また、キー１３１が樹脂ばね１５２を一体で構成され、前記樹脂ばね１５２の弾性復元力の範囲内でしか、操作後のキー１３１を通常位置に復帰させることができないために、スイッチ単独のストロークが小さなものしか選択できず、第１のスイッチ押動突起１３１ａと第１のスイッチ１４１のアクチュエータ１４１ａとの対向間隔Ｓ１と、第２のスイッチ押動突起１３１ｂと第２のスイッチ１４２のアクチュエータ１４２ａとの対向間隔Ｓ２の差を大きく設定することができないので、１段目と２段目の操作間隔の明確な違い（クリック感）をもたらすことができないという課題があった。
【００１１】
本発明はこのような従来の課題を解決し、スイッチ本来の操作寿命を低下させること無く、スイッチ単独の操作ストロークが小さな場合であっても、実際の操作部でのストロークを十分確保できるとともに、１段目と２段目の操作間隔（クリック感）を明確にすることができる段押しスイッチ機構を提供することを目的とするものである。
【００１２】
【課題を解決するための手段】
この課題を解決するために本発明による段押しスイッチ機構は、第１の支点軸と少なくとも２箇所以上の第１の爪部を有し、前記第１の支点軸の長手方向に対して直角に離れた位置で垂直方向に伸びた第１のスイッチ押動突起と、前記第１のスイッチ押動突起と同一中心線上に第１の操作部が設けられた第１のスイッチボタンと、第２の支点軸と少なくとも２箇所以上の第２の爪部を有し、前記第２の支点軸の長手方向に対して直角に離れた位置で垂直方向に伸びた第２のスイッチ押動突起と、前記第２のスイッチ押動突起の中心線から平行線上に２箇所以上の第２の操作部が設けられた第２のスイッチボタンと、前記第１、第２のスイッチボタンに設けられた第１、第２の支点軸に嵌合保持する第１及び第２の支点軸受けと、第１、第２の少なくとも２箇所以上設けられた爪部を係止する第１、第２の係止穴と、第１、第２のスイッチ押動突起をガイドする第１、第２のガイド穴を有するスイッチスペーサと、前記第１、第２のスイッチボタンの第１、第２のスイッチ押動突起と相対する位置に、第１、第２のスイッチが実装されたプリント基板と、前記第１、第２のスイッチボタンの第１、第２のスイッチ押動突起が、無操作状態では常に前記第１、第２のスイッチに接触しない通常状態位置に跳ね上げておくための第１、第２の跳ね上げバネと、前記第１、第２のスイッチボタンの第１、第２の操作部と相対する位置に一定の肉厚を保持した内面が空洞で凸状態にある操作部と、前記操作部上面に表示銘板を貼り付けるための段部と、裏面には前記第１、第２のスイッチボタンの第１、第２の操作部に相対する位置に段差を有した第１、第２の突起が設けられたスイッチボードと、前記スイッチボードの操作部と相対する位置に開口部を設けた第１ケースを備えた構成としたものである。
【００１３】
この本発明によれば、スイッチ本来の操作寿命を低下させること無く、スイッチ単独の操作ストロークが小さな場合であっても、実際の操作部でのストロークを十分確保できるとともに、１つの操作部での押動操作で、２段階にスイッチ操作ができ、且つ１段目と２段目の操作間隔（クリック感）を明確にすることができる段押しスイッチ機構が得られる。
【００１４】
【発明の実施の形態】
本発明の請求項１に記載の発明は、第１の支点軸と少なくとも２箇所以上の第１の爪部を有し、前記第１の支点軸の長手方向に対して直角に離れた位置で垂直方向に伸びた第１のスイッチ押動突起と、前記第１のスイッチ押動突起と同一中心線上に第１の操作部が設けられた第１のスイッチボタンと、第２の支点軸と少なくとも２箇所以上の第２の爪部を有し、前記第２の支点軸の長手方向に対して直角に離れた位置で垂直方向に伸びた第２のスイッチ押動突起と、前記第２のスイッチ押動突起の中心線から平行線上に２箇所以上の第２の操作部が設けられた第２のスイッチボタンと、前記第１、第２のスイッチボタンに設けられた第１及び第２の支点軸に嵌合保持する第１、第２の支点軸受けと、第１、第２の少なくとも２箇所以上設けられた爪部を係止する第１、第２の係止穴と、第１、第２のスイッチ押動突起をガイドする第１、第２のガイド穴を有するスイッチスペーサと、前記第１、第２のスイッチボタンの第１、第２のスイッチ押動突起と相対する位置に、第１、第２のスイッチが実装されたプリント基板と、前記第１、第２のスイッチボタンの第１、第２のスイッチ押動突起が、無操作状態では常に前記第１、第２のスイッチに接触しない通常状態位置に跳ね上げておくための第１、第２の跳ね上げバネと、前記第１、第２のスイッチボタンの第１、第２の操作部と相対する位置に一定の肉厚を保持した内面が空洞で凸状態になった操作部と、前記操作部上面に表示銘板を貼り付けるための段部と、互いに段差を有する第１、第２の突起が、前記第１、第２のスイッチボタンの第１、第２の操作部の相対する位置に設けられたスイッチボードと、前記スイッチボードの操作部と相対する位置に開口部を設けた第１ケースを備えた構成を有しているので、前記第１、第２のスイッチボタンに設けられた第１、第２の支点軸を支点とした前記第１、第２のスイッチ押動突起までの距離と、前記第１、第２の操作部までの距離との差と、更に前記スイッチボードの操作部の裏面に設けた第１、第２の突起の段差により、スイッチ単独のストロークが小さくても、実際の操作で手が触れるスイッチボードの操作部でのストロークが大きく設定できるとともに、１つの操作部での押動操作にて、２段階にスイッチ操作ができ、且つ１段目と２段目の操作間隔（クリック感）を明確にすることができるという作用を有する。
【００１５】
更に、第２のスイッチボタンの操作部を押動しても第１のスイッチを支点としていないので、スイッチ本来の操作寿命を低下させることが無いという作用も有する。
【００１６】
本発明の請求項２に記載の発明は、請求項１記載の発明において、前記第１、第２のスイッチボタンの第１、第２の操作部に、前記スイッチボードの裏面に設けられた第１、第２の突起と相対する位置に第１、第２のセンタリング穴を設けた構成を有しているので、前記スイッチボードの操作部を押動すると、スイッチボードの操作部の裏面に設けられた第１、第２の突起が、前記第１、第２のスイッチボタンの第１、第２の操作部に接触した時に、第１、第２の突起の先端が第１、第２の操作部に設けられたセンタリング穴でセンタリングされて確実な押動力が伝達できるという作用を有する。
【００１７】
本発明の請求項３に記載の発明は、請求項１記載の発明において、前記第１、第２のスイッチボタンの第１、第２の操作部の裏面に、前記スイッチボードの操作部の裏面に設けられた第１、第２の突起と相対する位置に垂直方向に延びた第１、第２のメカストッパーを設けた構成を有しているので、前記スイッチボードの操作部を押動すると、スイッチボードの操作部の裏面に設けられた第１、第２の突起が、前記第１、第２のスイッチボタンの第１、第２の操作部を押動し、第１、第２のスイッチがＯＮ−ＯＦＦした時、前記メカストッパーが前記スイッチスペーサにあたり、スイッチボードの操作部を更に押動してもスイッチには過負荷な荷重が掛かることを防止することができるという作用を有する。
【００１８】
本発明の請求項４に記載の発明は、請求項１記載の発明において、前記第１、第２のスイッチボタンに設けられた第１、第２のスイッチ押動突起の先端に段付き状態のガイドピンを一体で設け、前記ガイドピンに嵌合する挿入穴を有したスイッチボタンゴムで構成を有しているので、前記第１、第２のスイッチボタンの第１、第２の操作部の裏面に垂直に延びた第１、第２のメカストッパーで、第１、第２のスイッチ押動突起の下死点が一定となるので、第１、第２のスイッチ押動突起の先端に前記スイッチボタンゴムをつけることにより、スイッチのＯＮ−ＯＦＦ接点位置のバラツキ、部品実装時の高さバラツキ等があっても、スイッチボタンゴムの弾性範囲内で確実にスイッチをＯＮ−ＯＦＦさせることができるという作用を有する。
【００１９】
本発明の請求項５に記載の発明は、請求項１記載の発明において、前記スイッチボタンゴムの外周部に湾曲状に形成されたツバ部を全周に一体で構成を有しているので、スイッチのＯＮ−ＯＦＦ接点位置のバラツキ、部品実装時の高さバラツキがあっても、スイッチボタンゴムの弾性範囲内で確実にスイッチをＯＮ−ＯＦＦさせることができるという作用と、操作後はスイッチボタンゴムの外周部全周に湾曲状に一体に形成されたツバ部の弾性復元力で、第１、第２のスイッチボタンを通常位置に復帰させることができるという作用を有する。
【００２０】
本発明の請求項６に記載の発明は、請求項１記載の発明において、前記第１のスイッチボタンと前記第１のスイッチ又は前記第２のスイッチボタンと前記第２のスイッチのどちらか一方で構成を有しているので、段押しスイッチ機構が不要な場合は、第１のスイッチボタンと第１のスイッチ又は第２のスイッチボタンと第２のスイッチのどちらか一方を除くことで単独のスイッチ操作ができるという作用を有する。
【００２１】
本発明の請求項７に記載の発明は、請求項１記載の発明において、前記スイッチボードの外周部にツバ部を設け、前記ツバ部を第１のケースと端面に断面形状が三角形又は半円形をした凸部を有した第２のケースとで挟み込む構成を有しているので、段押しスイッチ機構とケース内部への液体の侵入防止がスイッチボード単独で構成することができるという作用を有する。
【００２２】
本発明の請求項８に記載の発明は、請求項３記載の発明において、前記第１のスイッチボタンの第１の操作部の中央に段差を有した貫通ガイド穴を設け、前記段差を有した貫通ガイド穴に挿入する先端が球Ｒ形状でリング溝を有したスイッチ可動ピンと、前記スイッチ可動ピンと前記段差を有したガイド穴との間に配置する第３の跳ね上げバネと、前記スイッチ可動ピンのリング溝に嵌合する抜け止めリングと、前記スイッチスペーサの第１、第２のガイド穴の中間位置に逃がし穴を設け、前記第２のスイッチボタンの第２の操作部に球Ｒ形状の突起を設け、前記第１、第２のスイッチボタンの第１、第２の操作部に相対する位置に一定の肉厚を保持した内面が空洞で凸状態になった操作部の裏面を平滑面で構成を有しているので、前記第１、第２のスイッチボタンに設けられた第１、第２の支点軸を支点とした前記第１、第２のスイッチ押動突起までの距離と、前記第１、第２の操作部までの距離との差と、前記第１のスイッチボタンの操作部に配置されたスイッチ可動ピンの突出量と第２のスイッチボタンの操作部に設けられた突起の突出量との差により、１つの操作部での押動操作にて、２段階にスイッチ操作ができ、且つ１段目と２段目の操作間隔（クリック感）を明確にすることができるという作用を有する。
【００２３】
更に、スイッチボードの操作部裏面が平滑面で且つ、第１のスイッチボタンの操作部に配置されたスイッチ可動ピンの先端が球Ｒ形状である為に、スイッチボードの操作部をあらゆる方向から押動操作しても、確実に２段階のスイッチ操作ができ、スイッチ可動ピンが押動操作によって上下することによりスイッチボードの操作部裏面だけに弾性変形負荷が集中することが軽減でき、且つ第１のスイッチボタンの操作部とスイッチ可動ピンとの間に配置された第３の跳ね上げバネの荷重設定により１段目と２段目の操作間隔（クリック感）をより明確にすることができるという作用を有する。
【００２４】
本発明の請求項９に記載の発明は、請求項３記載の発明において、前記第１のスイッチボタンの第１の操作部の中央に凹みガイド穴を設け、前記凹みガイド穴に挿入・嵌合する段付形状で先端が球Ｒ形状をしたスイッチゴムと、前記第２のスイッチボタンの第２の操作部に球Ｒ形状の突起を設け、前記第１、第２のスイッチボタンの第１、第２の操作部に相対する位置に一定の肉厚を保持した内面が空洞で凸状態になった操作部の裏面に前記第１のスイッチボタンの第１の操作部に相対する位置にだけ設けた第３の突起を構えた構成を有しているので、前記第１、第２のスイッチボタンに設けられた第１、第２の支点軸を支点とした前記第１、第２のスイッチ押動突起までの距離と、前記第１、第２の操作部までの距離との差と、スイッチボードの操作部裏面に設けられた突起と平滑面との差により、１つの操作部での押動操作にて、２段階にスイッチ操作ができ、且つ１段目と２段目の操作間隔（クリック感）を明確にすることができるという作用を有する。
【００２５】
更に、押動操作によって、スイッチボードの操作部裏面に設けられた第３の突起と第１のスイッチボタンの操作部に配置されたスイッチゴムとがお互いに弾性変形しあうことで、スイッチボードの操作部裏面だけに弾性変形負荷が集中することが軽減でき、且つスイッチボードの操作部とスイッチゴムのゴム硬度の設定により１段目と２段目の操作間隔（クリック感）をより明確にするという作用を有する。
【００２６】
本発明の請求項１０に記載の発明は、請求項３記載の発明において、前記第１のスイッチボタンの第１の操作部に凹みガイド穴と前記凹みガイド穴の中央にガイドボスを設け、前記凹みガイド穴の中央に設けたガイドボスに挿入・嵌合するスイッチ可動バネと、前記第２のスイッチボタンの第２の操作部に球Ｒ形状の突起を設け、前記第１、第２のスイッチボタンの第１、第２の操作部に相対する位置に一定の肉厚を保持した内面が空洞で凸状態になった操作部の裏面を前記第１のスイッチボタンの第１の操作部に相対する位置だけに突起を設けた構成を有しているので、前記第１、第２のスイッチボタンに設けられた第１、第２の支点軸を支点とした前記第１、第２のスイッチ押動突起までの距離と、前記第１、第２の操作部までの距離との差と、前記スイッチボードの操作部裏面に第１のスイッチボタンの操作部だけに相対する位置だけに設けた突起と平滑部との差により、１つの操作部での押動操作にて、２段階にスイッチ操作ができ、且つ１段目と２段目の操作間隔（クリック感）を明確にすることができるという作用を有する。
【００２７】
更に、押動操作によって、スイッチ可動バネが圧縮変形することによりスイッチボードの操作部裏面だけに弾性変形負荷が集中することが軽減でき、且つスイッチ可動バネの荷重設定による１段目と２段目の操作間隔（クリック感）をより明確にすることができるという作用を有する。
【００２８】
本発明の請求項１１に記載の発明は、請求項３記載の発明において、前記第１のスイッチボタンの第１の操作部に相当する位置に先端が湾曲形状に形成されたスイッチ板ばねを配置し、前記第２のスイッチボタンの第２の操作部に球Ｒ形状の突起を設け、前記第１、第２のスイッチボタンの第１、第２の操作部に相対する位置に一定の肉厚を保持した内面が空洞で凸状態になった操作部の裏面を平滑面で構成を有しているので、前記第１、第２のスイッチボタンに設けられた第１、第２の支点軸を支点とした前記第１、第２のスイッチ押動突起までの距離と、前記第１、第２の操作部までの距離との差と、前記第１のスイッチボタンの操作部に配置されたスイッチ板バネの湾曲形状部の突出量と第２のスイッチボタンの操作部に設けられた突起の突出量との差により、１つの操作部での押動操作にて、２段階にスイッチ操作ができ、且つ１段目と２段目の操作間隔（クリック感）を明確にすることができるという作用を有する。
【００２９】
更に、押動操作によって、スイッチ板バネが弾性変形することによりスイッチボードの操作部裏面だけに弾性変形負荷が集中することが軽減でき、且つスイッチ板バネの荷重設定による１段目と２段目の操作間隔（クリック感）をより明確にすることができるという作用を有する。
【００３０】
以下、本発明の実施の形態について、図１〜図３２を用いて説明する。
【００３１】
（実施の形態１）
図１は本発明の第１の実施の形態における段押しスイッチ機構を示す分解構成斜視図であり、図２（ａ）は同実施の形態１による第１、第２のスイッチボタンの配置状態を示す要部平面図であり、図２（ｂ）は図２（ａ）のＢ−Ｂ’で断面した第１のスイッチボタンの通常状態を示す断面図であり、図２（ｃ）は図２（ａ）のＣ−Ｃ’で断面した第２のスイッチボタンの通常状態を示す断面図であり、図３（ａ），（ｂ）は第１、第２のスイッチボタンが押動された状態を示す要部断面図である。図１、図２、図３において、１、２は各々支点軸１ａ、２ａと少なくとも２箇所以上の各々爪部１ｂ、２ｂを有した第１、第２のスイッチボタン、１ｃ、２ｃは各々支点軸１ａ、２ａの長手方向に対して直角に離れた位置に各々垂直方向に伸びたスイッチ押動突起、１ｄ、２ｄはスイッチ押動突起１ｃ、２ｃと同一中心線上及び平行線上に各々設けられた操作部である。３は前記第１、第２のスイッチボタン１、２に各々設けられた支点軸１ａ、２ａを保持する支点軸受け３ｃ、３ｄと、第１、第２のスイッチ押動突起１ｃ、２ｃを各々ガイドするガイド穴３ａ、３ｂと、爪部１ｂ、２ｂを各々係止する係止穴３ｅ、３ｆを一体で構成したスイッチスペーサ、４、５は前記第１、第２のスイッチボタン１、２を通常状態に跳ね上げておく跳ね上げバネ、６は第１、第２のスイッチ７、８が実装されたプリント基板、９は前記第１、第２のスイッチボタン１、２の操作部１ｄ、２ｄと相対する位置に一定の肉厚を保持した内面が空洞で凸状態にある操作部９ａと、前記操作部９ａ上面に表示銘板１１を貼り付けるための段部９ｄと、前記操作部９ａの裏面に前記第１、第２のスイッチボタン１、２の操作部１ｄ、２ｄと相対する位置に段差を有した第１、第２の突起９ｂ、９ｃが弾性体で一体構成されたスイッチボード、１０は前記スイッチボード９に設けられた操作部９ａと相対した位置に開口部１０ａを有する第１のケースである。
【００３２】
上記の構成において、ガイド穴３ａ、３ｂの外周部に跳ね上げバネ４、５を配置し、支点軸受け３ｃ、３ｄに第１、第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に跳ね上げられた状態となる。次に第１、第２のスイッチボタン１、２が装着されたスイッチスペーサ３を第１、第２のスイッチが実装されたプリント基板６の上にのせ、ネジ等の手段によって固定する。更にスイッチスペーサ３の上面にスイッチボード９と第１のケース１０を被せることで、スイッチボード９の第１、第２の突起９ｂ、９ｃが第１、第２のスイッチボタンの第１、第２の操作部１ｄ、２ｄと相対する位置に配置されるとともに、第１の突起９ｂと第１の操作部１ｄはほぼ隙間の状態となり、スイッチボード９の操作部９ａを押動操作すると、まず図３（ａ）に示すように第１の突起９ｂが第１のスイッチボタン１の操作部１ｄを押し下げると連動して、第１のスイッチ押動突起１ｃが第１のスイッチ７に働き、更に押動操作すると第１の突起９ｂが弾性変形しながら、図３（ｂ）に示すように第２の突起９ｃが第２のスイッチボタンの操作部２ｄを押し下げると連動して第２の押動突起２ｃによって第２のスイッチ８に働くようにしてある。
【００３３】
以上のように同実施の形態１によれば、前記第１、第２のスイッチボタンに設けられた第１、第２の支点軸を支点とした前記第１、第２のスイッチ押動突起までの距離と、前記第１、第２の操作部までの距離との差と、更に前記操作部材の凸部の裏面に設けた第１、第２の突起の段差により、スイッチ本来の操作寿命を低下させること無く、スイッチ単独のストロークが小さくても、実際の操作で手が触れるスイッチボードの操作部でのストロークが大きく設定できるとともに、１つの操作部での押動操作にて、２段階にスイッチ操作ができ、且つ１段目と２段目の操作間隔（クリック感）を明確にすることができるという効果が得られる。
【００３４】
なお、本実施の形態では、スイッチボード９に段差を設けた突起９ｂ、９ｃを設けた構成を図示したが、第１、第２のスイッチボタン１、２の操作部１ｄ、２ｄに同様の段差を設けた突起を構成しても同様の効果が得られる。
【００３５】
（実施の形態２）
図４は本発明の第２の実施の形態における段押しスイッチ機構を示す分解構成斜視図であり、図５（ａ）は同実施の形態２による第１、第２のスイッチボタンの配置状態を示す要部平面図であり、図５（ｂ）は図５（ａ）のＢ−Ｂ’で断面した第１のスイッチボタンの通常状態を示す断面図であり、図５（ｃ）は図５（ａ）のＣ−Ｃ’で断面した第２のスイッチボタンの通常状態を示す断面図であり、図６（ａ），（ｂ）は第１、第２のスイッチボタンが押動された状態を示す要部断面図である。図４、図５、図６において、図１〜図３と重複する符号の説明は省くが、１ｅ、２ｅは前記第１、第２のスイッチボタンの操作部１ｄ、２ｄに設けられた第１、第２のセンタリング穴である。
【００３６】
上記の構成において、ガイド穴３ａ、３ｂの外周部に跳ね上げバネ４、５を配置し、支点軸受け３ｃ、３ｄに第１、第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に跳ね上げられた状態となる。次に第１、第２のスイッチボタン１、２が装着されたスイッチスペーサ３を第１、第２のスイッチが実装されたプリント基板６の上にのせ、ネジ等の手段によって固定する。更にスイッチスペーサ３の上面にスイッチボード９と第１のケース１０を被せることで、スイッチボード９の第１、第２の突起９ｂ、９ｃが第１、第２のスイッチボタンの第１、第２の操作部１ｄ、２ｄと相対する位置に配置されるとともに、第１の突起９ｂと第１の操作部１ｄはほぼ隙間の状態となり、スイッチボード９の操作部９ａを押動操作すると、まず図６（ａ）に示すように第１の突起９ｂが第１のスイッチボタン１の操作部１ｄに設けた第１のセンタリング穴１ｅでセンタリングされた状態で押し下げると連動して、第１のスイッチ押動突起１ｃが第１のスイッチ７に働き、更に押動操作すると第１の突起９ｂが弾性変形しながら、図６（ｂ）に示すように第２の突起９ｃが第２のスイッチボタンの操作部２ｄに設けた第２のセンタリング穴２ｅでセンタリングされた状態で押し下げると連動して第２の押動突起２ｃによって第２のスイッチ８に働くようにしてある。
【００３７】
以上のように同実施の形態２によれば、実施の形態１記載の効果が得られるとともに、スイッチボードに構成された突起が、スイッチボタンの操作部のセンタリング穴でセンタリングされて、スイッチ押動突起に確実に操作力を伝達できるという効果が得られる。
【００３８】
（実施の形態３）
図７は本発明の第３の実施の形態における段押しスイッチ機構を示す分解構成斜視図であり、図８（ａ）は同実施の形態３による第１、第２のスイッチボタンの配置状態を示す要部平面図であり、図８（ｂ）は図８（ａ）のＢ−Ｂ’で断面した第１のスイッチボタンの通常状態を示す断面図であり、図８（ｃ）は図８（ａ）のＣ−Ｃ’で断面した第２のスイッチボタンの通常状態を示す断面図であり、図９（ａ），（ｂ）は第１、第２のスイッチボタンが押動された状態を示す要部断面図である。図７、図８、図９において、図１〜図５と重複する符号の説明は省くが、１ｆ、２ｆは第１、第２のスイッチボタン１、２の操作部１ｄ、２ｄの下部に垂直方向に延びた第１、第２のメカストッパーである。
【００３９】
上記の構成において、ガイド穴３ａ、３ｂの外周部に跳ね上げバネ４、５を配置し、支点軸受け３ｃ、３ｄに第１、第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に跳ね上げられた状態となる。次に第１、第２のスイッチボタン１、２が装着されたスイッチスペーサ３を第１、第２のスイッチが実装されたプリント基板６の上にのせ、ネジ等の手段によって固定する。更にスイッチスペーサ３の上面にスイッチボード９と第１のケース１０を被せることで、スイッチボード９の第１、第２の突起９ｂ、９ｃが第１、第２のスイッチボタンの第１、第２の操作部１ｄ、２ｄと相対する位置に配置されるとともに、第１の突起９ｂと第１の操作部１ｄはほぼ隙間の状態となり、スイッチボード９の操作部９ａを押動操作すると、まず図９（ａ）に示すように第１の突起９ｂが第１のスイッチボタン１の操作部１ｄに設けた第１のセンタリング穴１ｅでセンタリングされた状態で押し下げると連動して、第１のスイッチ押動突起１ｃが第１のスイッチ７に働くと同時に、操作部１ｄの下部に設けた垂直方向に延びた第１のメカストッパー１ｆがスイッチスペーサ３にあたり、第１のスイッチボタン１の押動動作がとまり、更に押動操作する第１の突起９ｂが弾性変形しながら、図９（ｂ）に示すように第２の突起９ｃが第２のスイッチボタンの操作部２ｄに設けた第２のセンタリング穴２ｅでセンタリングされた状態で押し下げると連動して第２の押動突起２ｃによって第２のスイッチ８に働くと同時に、操作部２ｄの下部に設けた垂直方向に延びた第２のメカストッパー２ｆがスイッチスペーサ３にあたるようにしてある。
【００４０】
以上のように同実施の形態３によれば、前記実施の形態１、２記載の効果が得られるとともに、メカストッパーによりスイッチ自体にメカストッパーを有していないスイッチにおいても過度の力で押動操作されても、スイッチに過度の荷重が掛かることを防止でき、高寿命化が図れるという効果が得られる。
【００４１】
（実施の形態４）
図１０は本発明の第４の実施の形態における段押しスイッチ機構を示す分解構成斜視図であり、図１１（ａ）は同実施の形態４による第１、第２のスイッチボタンの配置状態を示す要部平面図であり、図１１（ｂ）は図１１（ａ）のＢ−Ｂ’で断面した第１のスイッチボタンの通常状態を示す断面図であり、図１１（ｃ）は図１１（ａ）のＣ−Ｃ’で断面した第２のスイッチボタンの通常状態を示す断面図であり、図１２（ａ），（ｂ）は第１、第２のスイッチボタンが押動された状態を示す要部断面図である。図１０、図１１、図１２において、図１〜図８と重複する符号の説明は省くが、１ｇ、２ｇは第１、第２のスイッチボタン１、２の第１、第２のスイッチ押動突起１ｃ、２ｃの先端に段付き状態に一体で構成された第１、第２のガイドピン、１２、１３は前記第１、第２のガイドピン１ｇ、２ｇに嵌合する第１、第２の挿入穴１２ａ、１３ａを設けた弾性体で構成された第１、第２のスイッチボタンゴムである。
【００４２】
上記構成において、ガイド穴３ａ、３ｂの外周部に跳ね上げバネ４、５を配置し、支点軸受け３ｃ、３ｄに第１、第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に保持された状態となる。次に第１、第２のスイッチボタン１、２が装着されたスイッチスペーサ３をプリント基板６の上にのせ、ネジ等の手段によって固定する。更にスイッチスペーサ３の上面にスイッチボード９と第１のケース１０を被せることで、スイッチボード９の第１、第２の突起９ｂ、９ｃが第１、第２のスイッチボタンの第１、第２の操作部１ｄ、２ｄと相対する位置に配置されるとともに、第１の突起９ｂと第１の操作部１ｄはほぼ隙間の状態となり、スイッチボード９の操作部９ａを押動操作すると、まず図１２（ａ）に示すように第１の突起９ｂが第１のスイッチボタン１の操作部１ｄに設けた第１のセンタリング穴１ｅでセンタリングされた状態で押し下げると連動して、第１のスイッチ押動突起１ｃの先端に嵌合された第１のスイッチボタンゴム１２の先端が第１のスイッチ７に働くと同時に、操作部１ｄの下部に設けた垂直方向に伸びた第１のメカストッパー１ｆがスイッチスペーサ３にあたり、第１のスイッチボタン１の押動動作がとまり、更に押動操作する第１の突起９ｂが弾性変形しながら、図１２（ｂ）に示すように第２の突起９ｃが第２のスイッチボタンの操作部２ｄに設けた第２のセンタリング穴２ｅでセンタリングされた状態で押し下げると連動して第２の押動突起２ｃの先端に嵌合された第２のスイッチボタンゴム１３の先端によって第２のスイッチ８に働くと同時に、操作部２ｄの下部に設けた垂直方向に伸びた第２のメカストッパー２ｆがスイッチスペーサ３にあたるようにしてある。
【００４３】
以上のように同実施の形態４によれば、前記実施の形態１、２、３記載の効果が得られるとともに、スイッチのＯＮ−ＯＦＦ接点位置のバラツキ・部品実装時の高さバラツキ等をスイッチボタンゴムの弾性力で吸収することができるという効果が得られる。
【００４４】
更に、スイッチボタンゴムのゴム硬度の設定と、メカストッパーの設定位置により、より実際に操作する操作部でストロークを大きく設定できるという効果も得られる。
【００４５】
（実施の形態５）
図１３は本発明の第５の実施の形態における段押しスイッチ機構を示す分解構成斜視図であり、図１４（ａ）は同実施の形態５による第１、第２のスイッチボタンの配置状態を示す要部平面図であり、図１４（ｂ）は図１４（ａ）のＢ−Ｂ’で断面した第１のスイッチボタンの通常状態を示す断面図であり、図１４（ｃ）は図１４（ａ）のＣ−Ｃ’で断面した第２のスイッチボタンの通常状態を示す断面図であり、図１５（ａ），（ｂ）は第１、第２のスイッチボタンが押動された状態を示す要部断面図である。図１３、図１４、図１５において、図１〜図１２と重複する符号の説明は省くが、１４、１５は外周部全周に湾曲状の第１、第２のツバ１４ａ、１５ａと、第１、第２のスイッチ押動突起１ｃ、２ｃと嵌合する第１、第２の穴部１４ｂ、１５ｂを有した弾性体からなる第１、第２のスイッチボタンバネである。
【００４６】
上記構成において、ガイド穴３ａ、３ｂの外周部にスイッチボタンバネ１４、１５を配置し、支点軸受け３ｃ、３ｄに第１、第２のスイッチボタンの支点軸１ａ、２ａを嵌合するとともに、第１、第２のスイッチ押動突起１ｃ、２ｃを第１、第２のスイッチボタンバネ１４、１５の穴部１４ｂ、１５ｂに挿入し、爪部１ｂ、２ｂを係止穴３ｅ、３ｆに係止するまで挿入することで、第１、第２のスイッチボタン１、２は第１、第２のスイッチボタンバネ１４、１５の弾性復元力で通常状態位置に保持された状態となる。次に第１、第２のスイッチボタン１、２が装着されたスイッチスペーサ３をプリント基板６の上にのせ、ネジ等の手段によって固定する。更にスイッチスペーサ３の上面にスイッチボード９と第１のケース１０を被せることで、スイッチボード９の第１、第２の突起９ｂ、９ｃが第１、第２のスイッチボタンの第１、第２の操作部１ｄ、２ｄと相対する位置に配置されるとともに、第１の突起９ｂと第１の操作部１ｄはほぼ隙間の状態となり、スイッチボード９の操作部９ａを押動操作すると、まず図１５（ａ）に示すように第１の突起９ｂが第１のスイッチボタン１の操作部１ｄに設けた第１のセンタリング穴１ｅでセンタリングされた状態で押し下げると連動して、第１のスイッチ押動突起１ｃが挿入された第１のスイッチボタンバネ１４の先端が第１のスイッチ７に働くと同時に、操作部１ｄの下部に設けた垂直方向に伸びた第１のメカストッパー１ｆがスイッチスペーサ３にあたり、第１のスイッチボタン１の押動動作がとまり、更に押動操作する第１の突起９ｂが弾性変形しながら、図１５（ｂ）に示すように第２の突起９ｃが第２のスイッチボタンの操作部２ｄに設けた第２のセンタリング穴２ｅでセンタリングされた状態で押し下げると連動して、第２の押動突起２ｃが挿入された第２のスイッチボタンバネ１５の先端が第２のスイッチ８に働くと同時に、操作部２ｄの下部に設けた垂直方向に伸びた第２のメカストッパー２ｆがスイッチスペーサ３にあたるようにしてある。
【００４７】
以上のように同実施の形態５によれば、前記実施の形態１〜４記載の効果が得られるとともに、跳ね上げバネとスイッチボタンゴムを弾性体により一体構成することで、部品点数の削減・組立時間の短縮ができるという効果が得られる。
【００４８】
（実施の形態６）
図１６は本発明の第６の実施の形態における段押しスイッチ機構を示す分解構成斜視図であり、図１７（ａ）は同実施の形態による第１のスイッチボタンの配置状態を示す要部平面図、図１７（ｂ）は第１のスイッチボタンのみを装着した通常状態を示す要部断面図、図１８は第１のスイッチボタンが押動された状態を示す要部断面図である。図１６、図１７、図１８において、図１〜１５と重複する符号の説明は省く。
【００４９】
上記構成において、ガイド穴３ａの外周部に跳ね上げバネ４を配置し、支点軸受け３ｃに第１のスイッチボタンの支点軸１ａを嵌合するとともに、爪部１ｂを係止穴３ｅに係止するまで挿入することで、第１のスイッチボタン１は跳ね上げバネ４のバネ力で通常状態位置に保持された状態となる。次に第１のスイッチボタン１が装着されたスイッチスペーサ３を第１のスイッチ７が実装されたプリント基板６の上にのせ、ネジ等の手段によって固定する。更にスイッチスペーサ３の上面にスイッチボード９と第１のケース１０を被せることで、スイッチボード９の第１の突起９ｂが第１のスイッチボタンの第１の操作部１ｄと相対する位置に配置され、スイッチボード９の操作部９ａを押動操作すると、第１の突起９ｂが第１のスイッチボタン１の操作部１ｄを押し下げると連動して、第１のスイッチ押動突起１ｃの先端が第１のスイッチ７に働くようにしてある。
【００５０】
以上のように同実施の形態６によれば、第１のスイッチボタンと第１のスイッチのみを装着・実装するだけで、他の部品は共用でき１つの装置で段押しスイッチ機構と単独スイッチ機構の両立が図れるという効果が得られる。
【００５１】
なお、本実施の形態では、第１のスイッチボタンと第１のスイッチのみを装着・実装した構成を図示したが、第２のスイッチボタンと第２のスイッチのみを装着・実装をしても同様の効果が得られる。
【００５２】
（実施の形態７）
図１９は本発明の第７の実施の形態における段押しスイッチ機構を示す分解構成斜視図であり、図２０はケース嵌合状態を示す要部断面図である。図１９、図２０において、図１〜図１８と重複する符号の説明は省くが、９ｅはスイッチボード９の外周全周に設けたツバ部、１６は外周端面全周に断面形状が三角形または半円形をした凸リブ１６ａを有した第２のケースである。
【００５３】
上記構成において、ガイド穴３ａ、３ｂの外周部に跳ね上げバネ４、５を配置し、支点軸受け３ｃ、３ｄに第１、第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に保持された状態となる。次に第１、第２のスイッチボタン１、２が装着されたスイッチスペーサ３をプリント基板６の上にのせ、ネジ等の手段によって固定する。更にスイッチスペーサ３の上面にスイッチボード９、第１のケース１０の順序で被せて、下方より第２のケース１６と第１のケース１０でスイッチボード９に設けられたツバ部９ｅを挟み込むことにより、第２のケース１６の外周端面全周に構成された断面形状が三角形または半円形をした凸リブ１６ａがスイッチボード９のツバ部９ｅに食い込む状態となる。
【００５４】
以上のように同実施の形態７によれば、スイッチボードのみで段押しスイッチ機構と装置全体の防水性が確保できるという効果が得られる。
【００５５】
（実施の形態８）
図２１は本発明の第８の実施の形態における段押しスイッチ機構を示す分解構成斜視図であり、図２２（ａ）は同実施の形態８による第１、第２のスイッチボタンの配置状態を示す要部平面図であり、図２２（ｂ）は図２２（ａ）のＢ−Ｂ’で断面した第１のスイッチボタンの通常状態を示す断面図であり、図２２（ｃ）は図２２（ａ）のＣ−Ｃ’で断面した第２のスイッチボタンの通常状態を示す断面図であり、図２３（ａ），（ｂ）は第１、第２のスイッチボタンが押動された状態を示す要部断面図である。図２１、図２２、図２３において、図１〜図３と重複する符号の説明は省くが、１ｈは第１のスイッチボタン１の操作部１ｄの中央に設けられた段付きの貫通ガイド穴、１７は前記段付きの貫通ガイド穴１ｈに挿入する先端が球Ｒ形状１７ａとリング溝１７ｂを有したスイッチ可動ピン、１８は前記スイッチ可動ピン１７を跳ね上げる第３の跳ね上げバネ、１９は前記スイッチ可動ピン１７が前記第３の跳ね上げバネ１８で規定以上に跳ね上げられることを防止する抜け止めリング、２ｈは第２のスイッチボタン２の操作部２ｄに設けられた先端が球Ｒ形状をした突起、９ｆはスイッチボード９の操作部９ａの裏面の平滑部、３ｇはスイッチスペーサ３の第１、第２のガイド穴３ａ、３ｂ間に設けられた逃がし穴である。
【００５６】
上記構成において、ガイド穴３ａ、３ｂの外周部に跳ね上げバネ４、５を配置し、まず第１のスイッチボタン１の操作部１ｄに設けられた段付きの貫通ガイド穴１ｈにスイッチ可動ピン１７と第３の跳ね上げバネ１８を配置し、抜け止めリング１９をスイッチ可動ピン１７のリング溝１７ｂに嵌合することでスイッチ可動ピン１７の先端球Ｒ形状部１７ａが規定位置まで跳ね上げられた状態で保持される。支点軸受け３ｃ、３ｄに先程のスイッチ可動ピン１７等が組み込まれた第１のスイッチボタンと第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に跳ね上げられた状態となる。次に第１、第２のスイッチボタン１、２が装着されたスイッチスペーサ３を第１、第２のスイッチが実装されたプリント基板６の上にのせ、ネジ等の手段によって固定する。更にスイッチスペーサ３の上面にスイッチボード９と第１のケース１０を被せることで、スイッチボード９の操作部９ａの裏面の平滑部９ｆが第１のスイッチボタン１の操作部１ｄに組み込まれたスイッチ可動ピン１７の先端球Ｒ形状１７ａにほぼ隙間の無い状態で配置され、スイッチボード９の操作部９ａを押動操作すると、まず図２３（ａ）に示すように平滑部９ｆがスイッチ可動ピン１７を押すことによって第１のスイッチボタン１の操作部１ｄを押し下げると連動して、第１のスイッチ押動突起１ｃが第１のスイッチ７に働き、更に押動操作すると第１のメカストッパー１ｆがスイッチスペーサ３に当たり、第１のスイッチボタン１の押動動作は停止するとともに、スイッチ可動ピン１７が押し下げられながら、図２３（ｂ）に示すように平滑部９ｆが第２のスイッチボタンの操作部２ｄに設けた突起２ｈを押し下げると連動して第２の押動突起２ｃによって第２のスイッチ８に働くようにしてある。
【００５７】
以上のように同実施の形態８によれば、実施の形態１記載の効果が得られるとともに、スイッチボードの操作部裏面が平滑面で且つ、第１のスイッチボタンの操作部に配置されたスイッチ可動ピンの先端が球Ｒ形状である為に、スイッチボードの操作部をあらゆる方向から押動操作しても、確実に２段階のスイッチ操作ができ、スイッチ可動ピンが押動操作によって上下することによりスイッチボードの操作部裏面だけに弾性変形負荷が集中することを軽減でき、且つ第１のスイッチボタンの操作部とスイッチ可動ピンとの間に配置された第３の跳ね上げバネの荷重設定による１段目と２段目の操作間隔（クリック感）をより明確にすることができるという効果が得られる。
【００５８】
（実施の形態９）
図２４は本発明の第９の実施の形態における段押しスイッチ機構を示す分解構成斜視図であり、図２５（ａ）は同実施の形態９による第１、第２のスイッチボタンの配置状態を示す要部平面図であり、図２５（ｂ）は図２５（ａ）のＢ−Ｂ’で断面した第１のスイッチボタンの通常状態を示す断面図であり、図２５（ｃ）は図２５（ａ）のＣ−Ｃ’で断面した第２のスイッチボタンの通常状態を示す断面図であり、図２６（ａ），（ｂ）は第１、第２のスイッチボタンが押動された状態を示す要部断面図である。図２４、図２５、図２６において、図１〜図３、図２１〜図２３と重複する符号の説明は省くが、１ｉは第１のスイッチボタン１の操作部１ｄに設けられた凹ガイド穴、２０は前記凹ガイド穴１ｉに挿入・嵌合する段付形状で先端が球Ｒ形状をした弾性部材からなるスイッチゴム、９ｇは操作部９ａの裏面に前記第１のスイッチボタン１の操作部１ｄに相対する位置だけに設けた第３の突起である。
【００５９】
上記構成において、ガイド穴３ａ、３ｂの外周部に跳ね上げバネ４、５を配置し、まず第１のスイッチボタン１の操作部１ｄに設けられた凹ガイド穴１ｉに段付形状をしたスイッチゴム２０を配置する。支点軸受け３ｃ、３ｄに先程のスイッチゴム２０が配置された第１のスイッチボタンと第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に跳ね上げられた状態となる。次に第１、第２のスイッチボタン１、２が装着されたスイッチスペーサ３を第１、第２のスイッチが実装されたプリント基板６の上にのせ、ネジ等の手段によって固定する。更にスイッチスペーサ３の上面にスイッチボード９と第１のケース１０を被せることで、スイッチボード９の操作部９ａの裏面の第３の突起９ｇが第１のスイッチボタン１の操作部１ｄに配置されたスイッチゴム２０とほぼ隙間の無い状態で配置され、スイッチボード９の操作部９ａを押動操作すると、まず図２６（ａ）に示すように第３の突起９ｇがスイッチゴム２０を押すことによって第１のスイッチボタン１の操作部１ｄを押し下げると連動して、第１のスイッチ押動突起１ｃが第１のスイッチ７に働き、更に押動操作する第１のメカストッパー１ｆがスイッチスペーサ３に当たり、第１のスイッチボタン１の押動動作は停止するとともに、第３の突起９ｇとスイッチゴム２０が弾性変形しながら、図２６（ｂ）に示すように第３の突起９ｇの両側の平滑部９ｆが第２のスイッチボタンの操作部２ｄに設けた突起２ｈを押し下げると連動して第２の押動突起２ｃによって第２のスイッチ８に働くようにしてある。
【００６０】
以上のように同実施の形態９によれば、実施の形態１記載の効果が得られるとともに、スイッチボードの操作部裏面に設けられた第３の突起と第１のスイッチボタンの操作部に配置されたスイッチゴムとがお互いに接触・変形しあうことで、スイッチボードの操作部裏面だけに弾性変形負荷が集中することを軽減でき、且つスイッチボードの操作部とスイッチゴムのゴム硬度の設定により１段目と２段目の操作間隔（クリック感）をより明確にすることができるという効果が得られる。
【００６１】
（実施の形態１０）
図２７は本発明の第１０の実施の形態における段押しスイッチ機構を示す分解構成斜視図であり、図２８（ａ）は同実施の形態１０による第１、第２のスイッチボタンの配置状態を示す要部平面図であり、図２８（ｂ）は図２８（ａ）のＢ−Ｂ’で断面した第１のスイッチボタンの通常状態を示す断面図であり、図２７（ｃ）は図２８（ａ）のＣ−Ｃ’で断面した第２のスイッチボタンの通常状態を示す断面図であり、図２９（ａ），（ｂ）は第１、第２のスイッチボタンが押動された状態を示す要部断面図である。図２７、図２８、図２９において、図１〜図３、図２１〜図２６と重複する符号の説明は省くが、１ｊは第１のスイッチボタン１の操作部１ｄに設けられた凹ガイド穴１ｉの中央に設けたガイドボス、２１は前記ガイドボス１ｊに挿入・嵌合するスイッチ可動バネである。
【００６２】
上記構成において、ガイド穴３ａ、３ｂの外周部に跳ね上げバネ４、５を配置し、まず第１のスイッチボタン１の操作部１ｄに設けられた凹ガイド穴１ｉの中央に設けられたガイドボス１ｊにスイッチ可動バネ２１を配置する。支点軸受け３ｃ、３ｄに先程のスイッチ可動バネ２１が配置された第１のスイッチボタンと第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に跳ね上げられた状態となる。次に第１、第２のスイッチボタン１、２が装着されたスイッチスペーサ３を第１、第２のスイッチが実装されたプリント基板６の上にのせ、ネジ等の手段によって固定する。更にスイッチスペーサ３の上面にスイッチボード９と第１のケース１０を被せることで、スイッチボード９の操作部９ａの平滑部９ｆが第１のスイッチボタン１の操作部１ｄに配置されたスイッチ可動バネ２１とほぼ隙間の無い状態で配置され、スイッチボード９の操作部９ａを押動操作すると、まず図２９（ａ）に示すように平滑部９ｆがスイッチ可動バネ２１を押すことによって第１のスイッチボタン１の操作部１ｄを押し下げると連動して、第１のスイッチ押動突起１ｃが第１のスイッチ７に働き、更に押動操作すると第１のメカストッパー１ｆがスイッチスペーサ３に当たり、第１のスイッチボタン１の押動動作は停止するとともに、スイッチ可動バネ２１が圧縮変形しながら、図２９（ｂ）に示すように平滑部９ｆが第２のスイッチボタンの操作部２ｄに設けた突起２ｈを押し下げると連動して第２の押動突起２ｃによって第２のスイッチ８に働くようにしてある。
【００６３】
以上のように同実施の形態１０によれば、実施の形態１記載の効果が得られるとともに、スイッチ可動バネが圧縮することによりスイッチボードの操作部裏面だけに弾性変形負荷が集中することを軽減でき、且つスイッチ可動バネの荷重設定により１段目と２段目の操作間隔（クリック感）をより明確にすることができるという効果が得られる。
【００６４】
（実施の形態１１）
図３０は本発明の第１１の実施の形態における段押しスイッチ機構を示す分解構成斜視図であり、図３１（ａ）は同実施の形態１１による第１、第２のスイッチボタンの配置状態を示す要部平面図であり、図３１（ｂ）は図３１（ａ）のＢ−Ｂ’で断面した第１のスイッチボタンの通常状態を示す断面図であり、図３１（ｃ）は図３１（ａ）のＣ−Ｃ’で断面した第２のスイッチボタンの通常状態を示す断面図であり、図３２（ａ），（ｂ）は第１、第２のスイッチボタンが押動された状態を示す要部断面図である。図３０、図３１、図３２において、図１〜図３、図２１〜図２６と重複する符号の説明は省くが、２２は前記第１のスイッチボタン１の操作部１ｄに配置された先端が湾曲形状をしたスイッチ板バネである。
【００６５】
上記構成において、ガイド穴３ａ、３ｂの外周部に跳ね上げバネ４、５を配置し、まず第１のスイッチボタン１の操作部１ｄにカシメ等の手段にとってスイッチ板バネを取り付ける。支点軸受け３ｃ、３ｄに先程のスイッチ板バネ２２が取付られた第１のスイッチボタンと第２のスイッチボタンの支点軸１ａ、２ａを嵌合するとともに、爪部１ｂ、２ｂを係止穴３ｅ、３ｆに係止するまで挿入することで、第１、第２のスイッチボタン１、２は跳ね上げバネ４、５のバネ力で通常状態位置に跳ね上げられた状態となる。次に第１、第２のスイッチボタン１、２が装着されたスイッチスペーサ３を第１、第２のスイッチが実装されたプリント基板６の上にのせ、ネジ等の手段によって固定する。更にスイッチスペーサ３の上面にスイッチボード９と第１のケース１０を被せることで、スイッチボード９の操作部９ａの平滑部９ｆが第１のスイッチボタン１の操作部１ｄに取付られたスイッチ板バネ２２の湾曲形状部先端とほぼ隙間の無い状態で配置され、スイッチボード９の操作部９ａを押動操作すると、まず図３２（ａ）に示すように平滑部９ｆがスイッチ板バネ２２の湾曲形状部を押すことによって第１のスイッチボタン１の操作部１ｄを押し下げると連動して、第１のスイッチ押動突起１ｃが第１のスイッチ７に働き、更に押動操作すると第１のメカストッパー１ｆがスイッチスペーサ３に当たり、第１のスイッチボタン１の押動動作は停止するとともに、スイッチ板バネ２２の先端の湾曲形状部が弾性変形しながら、図３２（ｂ）に示すように平滑部９ｆが第２のスイッチボタンの操作部２ｄに設けた突起２ｈを押し下げると連動して第２の押動突起２ｃによって第２のスイッチ８に働くようにしてある。
【００６６】
以上のように同実施の形態１１によれば、実施の形態１記載の効果が得られるとともに、スイッチ板バネが弾性変形することによりスイッチボードの操作部裏面だけに弾性変形負荷が集中することを軽減でき、且つスイッチ板バネの荷重設定により１段目と２段目の操作間隔（クリック感）をより明確にすることができるという効果が得られる。
【００６７】
【発明の効果】
以上のように本発明の段押しスイッチ機構によれば、スイッチ本来の操作寿命を低下させること無く、スイッチ単独のストロークが小さくても、実際の操作で手が触れるスイッチボードの操作部でのストロークが大きく設定できるとともに、１つの操作部での押動操作にて、２段階にスイッチ操作ができ、且つ１段目と２段目の操作間隔（クリック感）を明確にすることができるという効果が得られるものである。
【図面の簡単な説明】
【図１】本発明の第１の実施の形態における段押しスイッチ機構を示す分解構成斜視図
【図２】（ａ）同実施の形態による第１、第２のスイッチボタンの配置状態を示す要部平面図
（ｂ）図２（ａ）のＢ−Ｂ’で断面した第１のスイッチボタンの通常状態を示す断面図
（ｃ）図２（ａ）のＣ−Ｃ’で断面した第２のスイッチボタンの通常状態を示す断面図
【図３】（ａ）同実施の形態による第１のスイッチボタンの押動状態位置を示す要部断面図
（ｂ）同実施の形態による第２のスイッチボタンの押動状態位置を示す要部断面図
【図４】本発明の第２の実施の形態における段押しスイッチ機構を示す分解構成斜視図
【図５】（ａ）同実施の形態による第１、第２のスイッチボタンの配置状態を示す要部平面図
（ｂ）図５（ａ）のＢ−Ｂ’で断面した第１のスイッチボタンの通常状態を示す断面図
（ｃ）図５（ａ）のＣ−Ｃ’で断面した第２のスイッチボタンの通常状態を示す断面図
【図６】（ａ）同実施の形態による第１のスイッチボタンの押動状態位置を示す要部断面図
（ｂ）同実施の形態による第２のスイッチボタンの押動状態位置を示す要部断面図
【図７】本発明の第３の実施の形態における段押しスイッチ機構を示す分解構成斜視図
【図８】（ａ）同実施の形態による第１、第２のスイッチボタンの配置状態を示す要部平面図
（ｂ）図８（ａ）のＢ−Ｂ’で断面した第１のスイッチボタンの通常状態を示す断面図
（ｃ）図８（ａ）のＣ−Ｃ’で断面した第２のスイッチボタンの通常状態を示す断面図
【図９】（ａ）同実施の形態による第１のスイッチボタンの押動状態位置を示す要部断面図
（ｂ）同実施の形態による第２のスイッチボタンの押動状態位置を示す要部断面図
【図１０】本発明の第４の実施の形態における段押しスイッチ機構を示す分解構成斜視図
【図１１】（ａ）同実施の形態による第１、第２のスイッチボタンの配置状態を示す要部平面図
（ｂ）図１１（ａ）のＢ−Ｂ’で断面した第１のスイッチボタンの通常状態を示す断面図
（ｃ）図１１（ａ）のＣ−Ｃ’で断面した第２のスイッチボタンの通常状態を示す断面図
【図１２】（ａ）同実施の形態による第１のスイッチボタンの押動状態位置を示す要部断面図
（ｂ）同実施の形態による第２のスイッチボタンの押動状態位置を示す要部断面図
【図１３】本発明の第５の実施の形態における段押しスイッチ機構を示す分解構成斜視図
【図１４】（ａ）同実施の形態による第１、第２のスイッチボタンの配置状態を示す要部平面図
（ｂ）図１４（ａ）のＢ−Ｂ’で断面した第１のスイッチボタンの通常状態を示す断面図
（ｃ）図１４（ａ）のＣ−Ｃ’で断面した第２のスイッチボタンの通常状態を示す断面図
【図１５】（ａ）同実施の形態による第１のスイッチボタンの押動状態位置を示す要部断面図
（ｂ）同実施の形態による第２のスイッチボタンの押動状態位置を示す要部断面図
【図１６】本発明の第６の実施の形態における単独スイッチ機構を示す分解構成斜視図
【図１７】（ａ）同実施の形態による第１のスイッチボタンの配置状態を示す要部平面図
（ｂ）同実施の形態による第１のスイッチボタンの通常状態位置を示す要部断面図
【図１８】同実施の形態による第１のスイッチボタンの押動状態位置を示す要部断面図
【図１９】本発明の第７の実施の形態における段押しスイッチ機構を内蔵した装置全体の防水構造を示す分解構成斜視図
【図２０】同実施の形態による装置全体の防水構造を示す要部断面図
【図２１】本発明の第８の実施の形態における段押しスイッチ機構を示す分解構成斜視図
【図２２】（ａ）同実施の形態による第１、第２のスイッチボタンの配置状態を示す要部平面図
（ｂ）図２２（ａ）のＢ−Ｂ’で断面した第１のスイッチボタンの通常状態を示す断面図
（ｃ）図２２（ａ）のＣ−Ｃ’で断面した第２のスイッチボタンの通常状態を示す断面図
【図２３】（ａ）同実施の形態による第１のスイッチボタンの押動状態位置を示す要部断面図
（ｂ）同実施の形態による第２のスイッチボタンの押動状態位置を示す要部断面図
【図２４】本発明の第９の実施の形態における段押しスイッチ機構を示す分解構成斜視図
【図２５】（ａ）同実施の形態による第１、第２のスイッチボタンの配置状態を示す要部平面図
（ｂ）図２５（ａ）のＢ−Ｂ’で断面した第１のスイッチボタンの通常状態を示す断面図
（ｃ）図２５（ａ）のＣ−Ｃ’で断面した第２のスイッチボタンの通常状態を示す断面図
【図２６】（ａ）同実施の形態による第１のスイッチボタンの押動状態位置を示す要部断面図
（ｂ）同実施の形態による第２のスイッチボタンの押動状態位置を示す要部断面図
【図２７】本発明の第１０の実施の形態における段押しスイッチ機構を示す分解構成斜視図
【図２８】（ａ）同実施の形態による第１、第２のスイッチボタンの配置状態を示す要部平面図
（ｂ）図２８（ａ）のＢ−Ｂ’で断面した第１のスイッチボタンの通常状態を示す断面図
（ｃ）図２８（ａ）のＣ−Ｃ’で断面した第２のスイッチボタンの通常状態を示す断面図
【図２９】（ａ）同実施の形態による第１のスイッチボタンの押動状態位置を示す要部断面図
（ｂ）同実施の形態による第２のスイッチボタンの押動状態位置を示す要部断面図
【図３０】本発明の第１１の実施の形態における段押しスイッチ機構を示す分解構成斜視図
【図３１】（ａ）同実施の形態による第１、第２のスイッチボタンの配置状態を示す要部平面図
（ｂ）図３１（ａ）のＢ−Ｂ’で断面した第１のスイッチボタンの通常状態を示す断面図
（ｃ）図３１（ａ）のＣ−Ｃ’で断面した第２のスイッチボタンの通常状態を示す断面図
【図３２】（ａ）同実施の形態による第１のスイッチボタンの押動状態位置を示す要部断面図
（ｂ）同実施の形態による第２のスイッチボタンの押動状態位置を示す要部断面図
【図３３】従来例による段押しスイッチ装置を示す分解構成斜視図
【図３４】従来例による段押しスイッチ装置を示す要部断面図
【符号の説明】
１  第１のスイッチボタン
１ａ  第１の支点軸
１ｂ  第１の爪部
１ｃ  第１のスイッチ押動突起
１ｄ  第１の操作部
１ｅ  第１のセンタリング穴
１ｆ  第１のメカストッパー
１ｇ  第１のガイドピン
１ｈ  段付き貫通ガイド穴
１ｉ  凹ガイド穴
１ｊ  ガイドボス
２  第２のスイッチボタン
２ａ  第２の支点軸
２ｂ  第２の爪部
２ｃ  第２のスイッチ押動突起
２ｄ  第２の操作部
２ｅ  第２のセンタリング穴
２ｆ  第２のメカストッパー
２ｇ  第２のガイドピン
２ｈ  突起
３  スイッチスペーサ
３ａ  第１のガイド穴
３ｂ  第２のガイド穴
３ｃ  第１の支点軸受け
３ｄ  第２の支点軸受け
３ｅ  第１の係止穴
３ｆ  第２の係止穴
３ｇ  逃がし穴
４  第１の跳ね上げバネ
５  第２の跳ね上げバネ
６  プリント基板
７  第１のスイッチ
８  第２のスイッチ
９  スイッチボード
９ａ  操作部
９ｂ  第１の突起
９ｃ  第２の突起
９ｄ  段部
９ｅ  ツバ部
９ｆ  平滑部
９ｇ  第３の突起
１０  第１のケース
１０ａ  開口部
１１  表示銘板
１２  第１のスイッチボタンゴム
１２ａ  第１の挿入穴
１３  第２のスイッチボタンゴム
１３ａ  第２の挿入穴
１４  第１のスイッチボタンバネ
１４ａ  第１のツバ
１４ｂ  第１の穴部
１５  第２のスイッチボタンバネ
１５ａ  第２のツバ
１５ｂ  第２の穴部
１６  第２のケース
１６ａ  凸リブ
１７  スイッチ可動ピン
１７ａ  球Ｒ形状
１７ｂ  リング溝
１８  第３の跳ね上げバネ
１９  抜け止めリング
２０  スイッチゴム
２１  スイッチ可動バネ
２２  スイッチ板バネ
【図１】
0004006865.tif 000002
【図２】
0004006865.tif 000003
【図３】
0004006865.tif 000004
【図４】
0004006865.tif 000005
【図５】
0004006865.tif 000006
【図６】
0004006865.tif 000007
【図７】
0004006865.tif 000008
【図８】
0004006865.tif 000009
【図９】
0004006865.tif 000010
【図１０】
0004006865.tif 000011
【図１１】
0004006865.tif 000012
【図１２】
0004006865.tif 000013
【図１３】
0004006865.tif 000014
【図１４】
0004006865.tif 000015
【図１５】
0004006865.tif 000016
【図１６】
0004006865.tif 000017
【図１７】
0004006865.tif 000018
【図１８】
0004006865.tif 000019
【図１９】
0004006865.tif 000020
【図２０】
0004006865.tif 000021
【図２１】
0004006865.tif 000022
【図２２】
0004006865.tif 000023
【図２３】
0004006865.tif 000024
【図２４】
0004006865.tif 000025
【図２５】
0004006865.tif 000026
【図２６】
0004006865.tif 000027
【図２７】
0004006865.tif 000028
【図２８】
0004006865.tif 000029
【図２９】
0004006865.tif 000030
【図３０】
0004006865.tif 000031
【図３１】
0004006865.tif 000032
【図３２】
0004006865.tif 000033
【図３３】
0004006865.tif 000034
【図３４】
0004006865.tif 000035